(57)【要約】【課題】  製品のパッケージ表示に関する情報を確実に管理することができる製品パッケージデータ管理装置を提供する。【解決手段】  製品パッケージデータ管理装置は、製品表示入出力装置１２０と、表示フォーマットを記憶している画面表示記憶手段１６６と、表示処理内容を記憶するための表示内容処理記憶手段１７０と、製品表示入出力装置１２０から入力される情報を受け入れて、表示内容処理記憶手段１７０が記憶している表示処理内容に基づいて、製品表示に関する情報を演算処理するための製品表示処理手段１６４と、製品表示に関する情報を記憶するための製品表示記憶手段１２４とを備える。製品表示処理手段１６４は、表示フォーマットを用いて、製品表示に関する情報を製品表示入出力装置１２０によって表示する。【選択図】      図１
2006018424.tif 000002
【特許請求の範囲】
【請求項１】
製品パッケージに関するデータを管理することができる製品パッケージデータ管理装置であって、
製品表示に関する情報を入力し出力することができる製品表示入出力装置（１２０）と、
製品に関する情報を表示するための種々の表示フォーマットを記憶している画面表示記憶手段（１６６）と、
製品表示に関する情報の表示処理内容を記憶するための表示内容処理記憶手段（１７０）と、
製品表示入出力装置（１２０）から入力される製品表示に関する情報を受け入れて、表示内容処理記憶手段（１７０）が記憶している製品表示に関する情報の表示処理内容に基づいて、製品表示に関する情報を演算処理するための製品表示処理手段（１６４）と、
製品表示処理手段（１６４）が出力する出力信号に基づいて、製品表示に関する情報を記憶するための製品表示記憶手段（１２４）とを備え、
製品表示処理手段（１６４）は、画面表示記憶手段（１６６）が記憶している表示フォーマットを用いて、製品表示に関する情報を製品表示入出力装置（１２０）によって表示することができるように構成される、
ことを特徴とする製品パッケージデータ管理装置。
【請求項２】
製品表示入出力装置（１２０）から情報を入力する利用者を認証するための利用者認証手段（１６２）を更に備えることを特徴とする、請求項１に記載の製品パッケージデータ管理装置。
【請求項３】
技術情報、法律情報、取扱い方法について、恣意的な入力を行うことが出来ないように支援するための支援方法を記憶している入力支援記憶手段（１７６）を更に備えることを特徴とする、請求項１に記載の製品パッケージデータ管理装置。
【請求項４】
製品表示に関する情報の表示データ項目を自動変換することができるかどうかを判別するための自動変換判別手段（１６８）を更に備えることを特徴とする、請求項１に記載の製品パッケージデータ管理装置。
【請求項５】
製品表示に関する情報の変換項目を記憶するための変換項目記憶手段（１７２）を更に備えることを特徴とする、請求項１に記載の製品パッケージデータ管理装置。
【請求項６】
画面表示記憶手段（１６６）は、「製品群」又は「製品」ごとに、法律の規定や消費者等への情報提供の点から表示することが必要となる「表示データ項目」を、「製品」と、「表示データ項目名」とに対応付けて記憶していることを特徴とする、請求項１に記載の製品パッケージデータ管理装置。
【請求項７】
配合表のデータベースを記憶している製品情報記憶手段（１１６）を更に備えることを特徴とする、請求項１に記載の製品パッケージデータ管理装置。
【請求項８】
製品表示入出力装置（１２０）の入力画面には、自動変換情報、或いは、選択指示された登録変換項目情報が表示されるように構成されることを特徴とする、請求項１に記載の製品パッケージデータ管理装置。
【請求項９】
製品表示処理手段（１６４）が出力する出力信号に基づいて、製品表示を加工する制御を行う製品表示加工制御手段（１３０）と、製品表示加工制御手段（１３０）が出力する出力信号に基づいて、製品表示を加工するための製品表示加工装置（１３２）とを更に備えることを特徴とする、請求項１から８のいずれか１項に記載の製品パッケージデータ管理装置。
【請求項１０】
製品パッケージを設計するときに利用される製品パッケージ設計情報を記憶するための加工処理記憶手段（１８０）を更に備えることを特徴とする、請求項９に記載の製品パッケージデータ管理装置。
【発明の詳細な説明】
【技術分野】
【０００１】
本発明は、製品パッケージデータ管理装置に関する。特に、本発明は、製品のパッケージに関する種々のデータを記憶しておき、必要に応じて変換して、その変換したデータに基づいて製品のパッケージデータを作成することができる製品パッケージデータ管理装置に関する。
【背景技術】
【０００２】
（１）従来の情報入力システム
複数の利用者が共用するデータベースに対する情報入力のための従来の情報入力システムは、利用者毎に、データベースのレコード項目について、利用者の入力画面に入力欄を表示するか否かを示す表示有無情報及び入力欄を表示する場合の表示位置を示す表示位置情報を含んだ利用者テンプレートを登録する利用者テンプレート登録手段と、入力欄を利用者テンプレートに設定された表示位置に配置した入力画面を生成し、表示する入力画面処理手段と、入力画面の各入力欄に入力された入力データをデータベースに登録するデータベース登録手段とを含んでいる。テンプレートは、データベースに対するデータ登録やデータ検索などのひな型となる書式である。テンプレートに従って入力画面が生成される。利用者は入力画面上で必要な入力項目を入力することができる。標準テンプレート登録部には、すべての利用者が利用できる標準テンプレート情報が登録されている。利用者テンプレート登録部には、個々の利用者ごとに、その利用者専用のテンプレートが登録されている（例えば、特許文献１参照）。
【０００３】
（２）従来のワークフロー処理装置
構造化文書を媒体として業務ジョブを実行する電子計算機システムにおける従来のワークフロー処理装置は、構造化文書を構成する各論理構造要素とワークフローにおける各ロールとの対応関係を提示して、各ロールの入力画面に対する各論理構造要素の内容表示及び内容入力の有無を設定する設定手段と、設定手段の設定内容にしたがって各ロールの入力画面のスタイルシートを生成するシート生成手段と、ワークフロー利用者のロールが指定されると、そのロールに対応するスタイルシートを参照して入力画面を提示するとともに、その入力画面に対する各論理構造要素のうち、内容入力有りの設定内容を有する論理構造要素があれば、その論理構造要素の内容入力を受け付けて、構造化文書を更新する更新手段とを備えている（例えば、特許文献２参照）。
【０００４】
（３）従来のワークフロー案件自動投入装置
ワークフローサーバを有し、あらかじめ定められたワークフロー定義に基づいて案件を回覧しながら業務を処理するワークフロー管理システムに、案件を自動投入する従来のワークフロー案件自動投入装置は、案件を投入するために必要な情報であるワークフロー投入情報を格納したワークフロー投入情報記憶手段と、投入すべき案件に係る個別の情報を生成するアプリケーションが出力する情報であるアプリケーション情報を格納したアプリケーション情報記憶手段と、ワークフロー投入情報およびアプリケーション情報に基づいて、ワークフロー管理システムに案件を投入する案件投入手段とを備えている（例えば、特許文献３参照）。
【０００５】
【特許文献１】特許第３４３９６８８号公報（第４〜６頁、図１〜図４）
【特許文献２】特開第２００１−１７５７７４号公報（第３〜６頁、図１〜図６）
【特許文献３】特開第２００１−７６０４６号公報（第３〜６頁、図１〜図７）
【発明の開示】
【発明が解決しようとする課題】
【０００６】
しかし、従来のワークフロー処理装置では、ワークフローの各工程において、円滑に正確な「製品表示に関する情報」の内容を入力して、製品のパッケージ表示に関する情報を管理することができなかった。また、従来のワークフロー処理装置では、製品のパッケージに関する種々のデータを変換して管理することができなかった。また、従来のワークフロー処理装置では、技術情報、法律情報、取扱い方法等について、恣意的な入力が行われることを最大限防止することできなかった。
【０００７】
本発明の目的は、食品等の製品のパッケージ表示に関する情報を確実に管理することができる製品パッケージデータ管理装置を提供することにある。
また、本発明の他の目的は、製品のパッケージに関する種々のデータを記憶しておき、必要に応じて変換して、その変換したデータに基づいて製品のパッケージデータを作成することができる製品パッケージデータ管理装置を提供することにある。
また、本発明の他の目的は、技術情報、法律情報、取扱い方法等について、恣意的な入力が行われることを最大限防止することができる製品パッケージデータ管理装置を提供することにある。
また、本発明の他の目的は、製品表示に関する情報を有効に活用して、製品パッケージの加工処理を効率良く行うことができる製品パッケージデータ管理装置を提供することにある。
【課題を解決するための手段】
【０００８】
本発明は、製品パッケージに関するデータを管理することができる製品パッケージデータ管理装置であって、製品表示に関する情報を入力し出力することができる製品表示入出力装置と、製品に関する情報を表示するための種々の表示フォーマットを記憶している画面表示記憶手段と、製品表示に関する情報の表示処理内容を記憶するための表示内容処理記憶手段と、製品表示入出力装置から入力される製品表示に関する情報を受け入れて、表示内容処理記憶手段が記憶している製品表示に関する情報の表示処理内容に基づいて、製品表示に関する情報を演算処理するための製品表示処理手段と、製品表示処理手段が出力する出力信号に基づいて、製品表示に関する情報を記憶するための製品表示記憶手段とを備える。この製品パッケージデータ管理装置では、製品表示処理手段は、画面表示記憶手段が記憶している表示フォーマットを用いて、製品表示に関する情報を製品表示入出力装置によって表示することができるように構成されることを特徴とする。この構成により、表示内容処理記憶手段が記憶している製品表示に関する情報の表示処理内容に基づいて、画面表示記憶手段が記憶している表示フォーマットを用いて表示することによって、食品等の製品のパッケージ表示に関する情報を確実に管理することができる。
【０００９】
本発明の製品パッケージデータ管理装置は、製品表示入出力装置から情報を入力する利用者を認証するための利用者認証手段を備えるのが好ましい。この構成により、製品パッケージデータ管理装置は、正当な利用者のみが使用することができるようになる。
本発明の製品パッケージデータ管理装置は、技術情報、法律情報、取扱い方法について、恣意的な入力を行うことが出来ないように支援するための支援方法を記憶する入力支援記憶手段を備えるのが好ましい。この構成により、恣意的な入力を行うことを効果的に阻止することができる。
本発明の製品パッケージデータ管理装置は、製品表示に関する情報の表示データ項目を自動変換することができるかどうかを判別するための自動変換判別手段を備えるのが好ましい。本発明の製品パッケージデータ管理装置は、製品表示に関する情報の変換項目を記憶するための変換項目記憶手段を備えるのが好ましい。この構成により、利用者は製品表示に関する情報を正確に変換することができる。
【００１０】
本発明の製品パッケージデータ管理装置において、画面表示記憶手段は、「製品群」又は「製品」ごとに、法律の規定や消費者等への情報提供の点から表示することが必要となる「表示データ項目」を、「製品」と、「表示データ項目名」とに対応付けて記憶するのが好ましい。この構成により、利用者は法律の規定や消費者等への情報提供の点から表示することが必要となる「表示データ項目」を、製品表示入出力装置の表示部によって正確に確認することができる。
本発明の製品パッケージデータ管理装置は、配合表のデータベースを記憶する製品情報記憶手段を備えるのが好ましい。この構成により、利用者は種々の製品の配合表に関する情報を正確に確認することができる。
本発明の製品パッケージデータ管理装置では、製品表示入出力装置の入力画面には、自動変換情報、或いは、選択指示された登録変換項目情報が表示されるように構成されるのが好ましい。この構成により、利用者は製品表示に関する情報の変換結果を正確に確認することができる。
【００１１】
本発明の製品パッケージデータ管理装置は、製品表示処理手段が出力する出力信号に基づいて、製品表示を加工する制御を行う製品表示加工制御手段と、製品表示加工制御手段が出力する出力信号に基づいて、製品表示を加工するための製品表示加工装置とを備えるように構成することができる。このような製品パッケージデータ管理装置は、製品パッケージを設計するときに利用される製品パッケージ設計情報を記憶するための加工処理記憶手段を備えるのが好ましい。この構成により、製品表示に関する情報を有効に活用して、製品パッケージの加工処理を効率良く行うことができる。
【発明の効果】
【００１２】
本発明の製品パッケージデータ管理装置により、ワークフローの各工程において、円滑に正確な「製品表示に関する情報」の内容を入力して、食品等の製品のパッケージ表示に関する情報を確実に管理することが可能になる。また、本発明の製品パッケージデータ管理装置により、ワークフローの各工程において、円滑に正確な「製品表示に関する情報」の内容を入力して、食品等の製品のパッケージ表示を作成することが可能になる。さらに、本発明の製品パッケージデータ管理装置を用いると、技術情報、法律情報、取扱い方法等について、恣意的な入力が行われることを最大限防止することが可能になる。さらに、製品表示加工装置とを備えた本発明の製品パッケージデータ管理装置を用いることにより、製品表示に関する情報を有効に活用して、製品パッケージの加工処理を効率良く行うことができる。
【発明を実施するための最良の形態】
【００１３】
以下に、本発明の実施の形態を図面に基づいて説明する。
（１）製品パッケージデータ管理装置の構成
最初に、製品パッケージデータ管理装置の構成を説明する。図１を参照すると、本発明の製品パッケージデータ管理装置の実施形態において、製品に関するデータを入出力することができる製品パッケージデータ管理装置１０２は、製品パッケージに関するデータを処理するためのデータ処理装置１０４を備える。製品に関する情報を入力し出力することができる製品情報入出力装置１１２が、データ処理装置１０４と接続される。データ処理装置１０４は、製品情報入出力装置１１２が出力する出力信号に基づいて、製品に関する情報と、変更履歴に関する情報とを演算処理するための製品情報処理手段１１４と、製品情報処理手段１１４が出力する出力信号に基づいて、製品に関する情報と、変更履歴に関する情報とを記憶するための製品情報記憶手段１１６とを含む。或いは、製品に関する情報を入力するための製品情報入力装置（図示せず）をデータ処理装置１０４と接続することもできる。或いは、製品情報処理手段１１４が出力する出力信号に基づいて、製品に関する情報と、変更履歴に関する情報とを出力するための製品情報出力装置（図示せず）をデータ処理装置１０４と接続することもできる。
【００１４】
製品表示に関する情報を入力し出力することができる製品表示入出力装置１２０が、データ処理装置１０４と接続される。製品表示入力制御手段１６０が、製品表示入出力装置１２０から入力される製品表示に関する情報を制御するためにデータ処理装置１０４に設けられる。利用者認証手段１６２が、製品表示入出力装置１２０から情報を入力する利用者を認証するためにデータ処理装置１０４に設けられる。利用者認証手段１６２は、利用者を認証するための判別方法を記憶している。製品表示入力制御手段１６０は、利用者認証手段１６２に記憶されている利用者を認証するための判別方法に基づいて、情報を入力する利用者を判別することができるように構成される。利用者を認証するための判別方法として、例えば、ＩＤやパスワードを用いることができる。データ処理装置１０４は、さらに、技術情報、法律情報、取扱い方法等について、恣意的な入力を行うことが出来ないように支援するための支援方法を記憶している入力支援記憶手段１７６を備える。この支援方法として、例えば、技術情報、法律情報、取扱い方法等について、予め所定内容を入力支援記憶手段１７６に記憶しておき、このような予め記憶している所定内容を入力するときのみ、その入力が妨害されないように製品表示入力制御手段１６０の作動を制御することができるように構成すればよい。
【００１５】
データ処理装置１０４は、さらに、製品表示入力制御手段１６０が出力する出力信号と、製品情報処理手段１１４が出力する出力信号とに基づき、更に必要に応じて、製品情報記憶手段１１６が記憶している製品に関する情報の記憶内容を利用して、製品表示に関する情報を演算処理するための製品表示処理手段１６４を備える。データ処理装置１０４は、さらに、製品表示処理手段１６４が出力する出力信号に基づいて、製品表示に関する情報を記憶するための製品表示記憶手段１２４を備える。画面表示記憶手段１６６が、製品に関する情報を表示するための種々の表示フォーマットを記憶するように構成される。製品表示処理手段１６４は、画面表示記憶手段１６６が記憶している表示フォーマットを用いて、製品表示に関する情報を製品表示入出力装置１２０によって表示することができるように構成される。或いは、製品表示に関する情報を入力することができる製品表示入力装置（図示せず）をデータ処理装置１０４と接続することができる。或いは、製品表示処理手段１６４が出力する出力信号に基づいて、製品表示に関する情報を出力するための製品表示出力装置（図示せず）をデータ処理装置１０４と接続することができる。
【００１６】
データ処理装置１０４は、さらに、製品表示処理手段１６４が演算処理する製品表示に関する情報の表示処理内容を記憶するための表示内容処理記憶手段１７０を備える。製品表示処理手段１６４は、表示内容処理記憶手段１７０が記憶している表示処理内容に基づいて、製品表示に関する情報を演算処理することができるように構成される。データ処理装置１０４は、さらに、製品表示に関する情報の表示データ項目を自動変換することができるかどうかを判別するための自動変換判別手段１６８を備える。データ処理装置１０４は、さらに、製品表示に関する情報の変換項目を記憶するための変換項目記憶手段１７２を備える。製品表示処理手段１６４は、自動変換判別手段１６８が出力する自動変換の判別結果に関する信号に基づいて、変換項目記憶手段１７２が記憶している製品表示に関する情報の変換項目を用いて、製品表示に関する情報の表示データ項目の自動変換を行うことができるように構成される。
データ処理装置１０４は、さらに、製品表示処理手段１６４が出力する出力信号に基づいて、製品表示を加工する制御を行う製品表示加工制御手段１３０を含む。製品表示加工制御手段１３０が出力する出力信号に基づいて、製品表示を加工するための製品表示加工装置１３２が、データ処理装置１０４と接続される。データ処理装置１０４は、さらに、製品表示を加工するために必要な情報を記憶するための加工処理記憶手段１８０を備える。
【００１７】
データ処理装置１０４は、１台又は複数の汎用コンピュータや、パーソナルコンピュータで構成することができる。このような場合には、製品情報処理手段１１４、製品表示入力制御手段１６０、利用者認証手段１６２、製品表示処理手段１６４、自動変換判別手段１６８、製品表示加工制御手段１３０は、それぞれの処理内容をプログラミングしたソフトウェアとして、データ処理装置１０４にインストールすることができる。また、製品情報記憶手段１１６、製品表示記憶手段１２４、画面表示記憶手段１６６、表示内容処理記憶手段１７０、変換項目記憶手段１７２、入力支援記憶手段１７６、加工処理記憶手段１８０は、磁気テープ、磁気ディスク、光ディスク、ＲＡＭなどで構成することができる。一般に、パッケージ表示の作成は、企業内の複数の部署をつなぐワークフローで実施される。したがって、データ処理装置１０４は、企業内の必要な部署に端末コンピュータを配設した形態で実施することができる。
【００１８】
製品情報入出力装置１１２は、パーソナルコンピュータで構成することができる。或いは、製品情報入力装置を設ける場合、製品情報入力装置は、パーソナルコンピュータで構成することができるし、キーボードなどで構成することもできる。或いは、製品情報出力装置を設ける場合、製品情報出力装置はパーソナルコンピュータで構成することができるし、表示装置、プリンタなどで構成することもできる。製品情報入力装置と製品情報出力装置は、同じパーソナルコンピュータで構成することができるし、或いは、異なるパーソナルコンピュータで構成することができる。
【００１９】
製品表示入出力装置１２０は、パーソナルコンピュータで構成することができる。或いは、製品表示入力装置を設ける場合、製品表示入力装置は、パーソナルコンピュータで構成することができるし、キーボードなどで構成することもできる。或いは、製品表示出力装置を設ける場合、製品情報出力装置はパーソナルコンピュータで構成することができるし、表示装置、プリンタなどで構成することもできる。製品表示入力装置と製品表示出力装置は、同じパーソナルコンピュータで構成することができるし、或いは、異なるパーソナルコンピュータで構成することができる。
【００２０】
製品表示加工装置１３２は、印刷機で構成することができるし、プリンタなどで構成することもできる。各入出力装置において、予め決められた書式の帳票などに基づいてデータを出力できる機能を付加することができる。また、データが適当なコード順に出力表示できる機能を付加することができる。製品表示入出力装置１２０は、端末側の機器を構成することができる。データ処理装置１０４は、サーバー端末側の機器を構成することができる。
【００２１】
（２）「製品に関する情報」の処理
次に、本発明の製品パッケージデータ管理装置において、「製品に関する情報」の処理の一例について説明する。図１を参照すると、製品情報入出力装置１１２から「製品に関する情報」を入力することができるように構成される。「製品に関する情報」は、例えば、それぞれの製品について、「製品名」、「食品加工条件」、「原材料」、「原材料原産地」、「添加物」、「表示項目」、「表示内容変換式」、「法規制変換式」「アレルギー項目」、「パッケージ表示書式」、「苦情標準フォーム」、「賞味期限」、「製造工場名」などを含む概念である。製品情報処理手段１１４は、製品情報入出力装置１１２が出力する製品に関する情報のデータ出力信号に基づいて、「製品に関する情報」と、変更履歴に関する情報とを演算処理するように構成される。製品情報処理手段１１４が演算処理した「製品に関する情報」と、「変更履歴に関する情報」とは、製品情報記憶手段１１６に記憶される。製品情報入出力装置１１２は、「製品に関する情報」と、「変更履歴に関する情報」とを出力することができるように構成される。「変更履歴に関する情報」は、データを変更した日時（年月日、時分など）、データを変更した日（年月日）、データを変更した回数を示す数字、記号など（版：バージョンなど）を含む概念である。
【００２２】
「製品に関する情報」の一部が変更された場合、製品情報入出力装置１１２から変更後の「製品に関する情報」を入力することができる。製品情報処理手段１１４は、製品情報入出力装置１１２が出力する製品に関する情報のデータ出力信号に基づいて、変更後の「製品に関する情報」と、その「変更履歴に関する情報」とを演算処理する。製品情報入出力装置１１２が演算処理した変更後の「製品に関する情報」と、その「変更履歴に関する情報」とは、製品情報記憶手段１１６に記憶されるように構成される。製品情報入出力装置１１２を用いれば、「製品に関する情報」と、「変更履歴に関する情報」にアクセスしたり、必要に応じてそれらの情報を検索することができるように構成される。
【００２３】
製品表示入出力装置１２０から「製品表示に関する情報」を入力することができるように構成される。さらに、「製品表示に関する情報」は、製品情報処理手段１１４から製品表示処理手段１６４に出力することができるように構成される。「製品表示に関する情報」は、例えば、それぞれの製品について、「製品名」、「栄養成分」、「原材料名」、「容器材質」、「ＧＭＯ」、「添加物」、「殺菌方法」、「内容量（重さ）」、「賞味期限」、「製造社名」、「ホームページ番号」、「商標」、「加工方法」、「注意書き」、「キャッチコピー」、「バーコード」、「二次元バーコード」などを含む概念である。製品表示処理手段１６４は、製品表示入出力装置１２０が出力する「製品表示に関する情報」に関する出力信号と、製品情報処理手段１１４が出力する「製品表示に関する情報」に関する出力信号とに基づいて、「製品表示に関する情報」を演算処理することができるように構成される。
【００２４】
製品表示加工制御手段１３０は、製品表示処理手段１６４が出力する「製品表示に関する情報」に関する出力信号に基づいて、パッケージ（包装箱、包装袋など）に製品表示を加工する制御を行うように構成される。製品表示加工装置１３２は、製品表示加工制御手段１３０が出力する「製品表示に関する情報」に関する出力信号に基づいて、パッケージ（包装箱、包装袋、包装紙、包装容器など）に製品表示を印刷加工、刻印、貼り付け加工などを行うように構成される。製品表示出力装置１３２は、「製品表示に関する情報」を出力するように構成される。製品表示出力装置１３２を用いれば、「製品表示に関する情報」にアクセスしたり、必要に応じてその情報を検索することができるように構成される。
【００２５】
（３）製品パッケージデータ管理装置の作用
次に、製品パッケージデータ管理装置の作用を説明する。ここで、図２は、本発明の製品パッケージデータ管理装置の実施形態において、製品パッケージデータ管理装置の作用の段階を示すフローチャートである。また、図３は、本発明の製品パッケージデータ管理装置の実施形態において、製品パッケージデータ管理装置の端末側の装置の機能（ファンクション）と、サーバー側の装置の機能（ファンクション）とを示すチャート（その１）である。図１〜図３を参照すると、最初に、利用者は、端末側の機器を構成する製品表示入出力装置１２０を用いて、サーバ側の機器を構成するデータ処理装置１０４にアクセスすることができる（ステップＳ１、ファンクションＦ１）。データ処理装置１０４の製品表示入力制御手段１６０は製品表示入出力装置１２０にログイン画面を送信することができる（ファンクションＦ２）。データ処理装置１０４の製品表示入力制御手段１６０から送信されたログイン画面は製品表示入出力装置１２０の表示部（ディスプレイ）に表示される（ファンクションＦ３）。次に、利用者は、製品表示入出力装置１２０にＩＤ、パスワードなどを入力する（ステップＳ２、ファンクションＦ４）。
【００２６】
利用者が製品表示入出力装置１２０にＩＤ、パスワードを入力すると、製品表示入力制御手段１６０は、入力されたＩＤ、パスワードを一時的に記憶する。次に、製品表示入力制御手段１６０は、入力されたＩＤ、パスワードが、利用者認証手段１６２に予め記憶されているデータを一致するかどうかを確認して、利用者は正当な利用者であるかどうかの認証を行う（ステップＳ３、ファンクションＦ５）。例えば、利用者は、食品等のパッケージ表示を、技術情報に基づいて入力加工する技術部門（例えば、研究所）、ワークフローにおける前工程に当たる、例えば上記研究所より表示に係わる技術情報等を送信され、これらの技術情報等にしたがって、これらの技術情報等を消費者に向けた表示に加工し、更に、例えば商品の「調理例」や「取扱い方法」等の表示を加えて、パッケージ表示のほぼ全体を作成する部門（例えば、「表示作成部」）の者であるとする。利用者認証手段１６２が、ＩＤ、パスワードを入力した利用者が正当な利用者であると判定された場合（ファンクションＦ６）、データ処理装置１０４の製品表示入力制御手段１６０は、製品表示入出力装置１２０にメインメニュー画面を送信することができる（ファンクションＦ７）。利用者認証手段１６２が、ＩＤ、パスワードを入力した利用者が正当な利用者でないと判定された場合（ファンクションＦ６）、ステップＳ２、ファンクションＦ４に戻ることができる。
【００２７】
データ処理装置１０４の製品表示入力制御手段１６０から送信されたメインメニュー画面は製品表示入出力装置１２０の表示部（ディスプレイ）に表示される（ファンクションＦ８）。図５を参照すると、メインメニュー画面には、種々の「製品」が表示される。すなわち、図５の第２行目を参照すると、「製品群」として、「カレー」、「シチュー」、「ラーメン」が表示され、図５の第３行目を参照すると、「製品群」として、「スナック菓子」、「ドリンク」、「スパイス」が表示される。次に、利用者は、「製品群」の中から「カレー」を製品表示入出力装置１２０に選択指示入力する（ステップＳ４、ファンクションＦ９）。次に、データ処理装置１０４の製品表示入力制御手段１６０は、製品表示入出力装置１２０に、「製品群」が「カレー」のリスト画面を送信する（ファンクションＦ１０）。データ処理装置１０４から送信された「製品群」が「カレー」のリスト画面は製品表示入出力装置１２０の入力画面（表示部：ディスプレイ）に表示される（ファンクションＦ１１）。図６を参照すると、「製品群」が「カレー」のリスト画面には、種々の「カレー」のリストが表示される。すなわち、図６の第１行目を参照すると、「製品」として、「カレー」が表示され、図６の第２行目を参照すると、「カレー」の一例として、「固形ルウカレー」、「フレークカレー」が表示される。
【００２８】
なお、上述したメインメニュー画面は、ＩＤ、パスワードの入力に対応した研究所の利用者専用の画面である。このようなメインメニュー画面からは、以下のように研究所が管掌するパッケージ表示の表示データ項目について、入力加工する処理を行うことができる。さらに、技術情報、法律情報、取扱い方法等について、恣意的な入力を行うことが出来ないように支援するアプリケーションが起動することができる。このようなアプリケーションは、入力支援記憶手段１７６に記憶させておくことができる。製品表示入力制御手段１６０は、入力支援記憶手段１７６に記憶されたアプリケーションを用いて、恣意的な入力を行うことが出来ないように作動することができる。
【００２９】
次に、利用者は、「カレー」の中から「固形ルウカレー」を製品表示入出力装置１２０に選択指示入力する（ステップＳ５、ファンクションＦ１２）。データ処理装置１０４の製品表示入力制御手段１６０は「固形ルウカレー」の入力画面に関する情報を取得することができる（ファンクションＦ１３）。次に、データ処理装置１０４の製品表示入力制御手段１６０は、「固形ルウカレー」の入力画面を作成し、製品表示入出力装置１２０に「固形ルウカレー」の入力画面を送信する（ファンクションＦ１４）。データ処理装置１０４の製品表示入力制御手段１６０から送信された「固形ルウカレー」の入力画面は製品表示入出力装置１２０の入力画面（表示部：ディスプレイ）に表示される（ファンクションＦ１５）。
【００３０】
図７を参照すると、研究所における「固形ルウカレー」の入力画面の一例が示されている。この研究所における「固形ルウカレー」の入力画面では、「登録番号」が「００３０」である「製品名」の「カレーＤ」について、「表示データ項目」として、「ａ１」、「ａ２」、「ａ３」などが表示され、「表示データ項目名」として、「原材料」が表示され、「表示データ（要入力）」として、「小麦粉」、「蔗糖脂肪酸エステル」、「チーズ」などが表示される。図８を参照すると、表示作成部における「固形ルウカレー」の入力画面の一例が示されている。この表示作成部における「固形ルウカレー」の入力画面では、「登録番号」が「００３０」である「製品名」の「カレーＤ」について、「表示データ項目」として、「ａ１」、「ａ２」、「ａ３」…「ｈ」などが表示され、「表示データ項目名」として、「原材料」と「調理例」が表示され、「表示データ（要入力）」として、「小麦粉」、「蔗糖脂肪酸エステル」、「チーズ」などが表示される。
【００３１】
表示関係の法律では、製品の種類ごとに表示項目、例えば「原材料」、「調理例」等を表示することが定められている。さらに、表示関係の法律では、製品の種類によって表示する必要がある項目や内容が異なる場合がある。また、法定のもの以外の消費者支援の情報等に係わる表示項目の中には、製造メーカ等が自主的に、その項目と、当該項目の表示内容を定めているものがある。データ処理装置１０４の画面表示記憶手段１６６には、図９に示すような「対応表イ」が記憶されている。すなわち、図９を参照すると、例えば、「製品群」又は「製品」ごとに、法律の規定や消費者等への情報提供等の点から表示することが必要となる「表示データ項目」が、「製品」等と、「表示データ項目名」とを対応付けて記憶される。例えば、「製品」の「カレー」について、「固形ルウカレー」、「フレークカレー」が表示され、「製品」の「シチュー」について、「固形ルウシチュー」、「フレークシチュー」が表示される。「表示データ項目」には、「ａ１」〜「ａｎ」、「ｈ」、「о」、「ｐ」等の内容が表示される。「表示データ項目名」には、「原材料」、「調理例」、「辛さ表示」、「電子レンジ使用」等の内容が表示される。「表示データ項目」と「表示データ項目名」に対して、表示が必要な「製品」には記号「○」が表示される。図７、図８に示すような「固形ルウカレー」の入力画面は、図９に示すような「対応表イ」のデータから取得された、「固形ルウカレー」に関して表示することが必要となる「表示データ項目」のみについて、「表示データ（要入力）」の欄を表示することができる。勿論、研究所、表示作成部等における入力画面の「表示データ項目」を共通のものとして、各入力部署毎に入力が必要となる「表示データ項目」を指示したり、あるいは、各項目について書き換えの可否を設定することも可能である。
【００３２】
次に、利用者は、「固形ルウカレー」の「表示データ項目」を製品表示入出力装置１２０に選択指示入力する（ステップＳ６、ファンクションＦ１６）。例えば、「表示データ項目」の中から項目「ａ２」を製品表示入出力装置１２０の入力画面（表示部：ディスプレイ）に選択指示入力する。「表示データ項目」の項目「ａ２」には、予め技術情報に基づいて、添加物の「蔗糖脂肪酸エステル」が、配合表のデータベース等から転記されて自動入力されている。配合表のデータベースは、製品情報記憶手段１１６に記憶させることができる。さらに、製品表示入出力装置１２０の入力画面（表示部：ディスプレイ）上で「自動変換」の操作を行うと、製品表示処理手段１６４は自動変換判別手段１６８を作動させて、項目「ａ２」および「蔗糖脂肪酸エステル」を自動変換することができるかどうかの判定を行う（ステップＳ７、ファンクションＦ１７）。配合表のデータベース等から転記する処理の手順や、自動変換判別手段１６８を作動させる処理の手順は、表示内容処理記憶手段１７０に記憶させることができる。データ処理装置１０４の変換項目記憶手段１７２は、図１０の「対応表ロ」に示すような自動変換・登録変換項目情報を記憶している。すなわち、図１０を参照すると、「対応表ロ」は、「固形ルウカレー」について、「配合表データ名」が「蔗糖脂肪酸エステル」、「蔗糖エステル」、「シュガーエステル」であり、「表示データ名」が「乳化剤」であることを「自動変換」することができることを示している。また、これらの対応を示す「対応表ロ」の内容が、登録変換項目情報となる。
【００３３】
次に、図１、図２および図４を参照すると、自動変換判別手段１６８が、項目「ａ２」および「蔗糖脂肪酸エステル」を自動変換することができると判定した場合、製品表示処理手段１６４は変換項目記憶手段１７２から自動変換・登録変換項目情報を取得する（ファンクションＦ１８）。さらに、製品表示処理手段１６４は、自動変換・登録変換項目情報を製品表示入出力装置１２０に送信する（ファンクションＦ１９）。製品表示入出力装置１２０は、自動変換・登録変換項目情報を表示する（ファンクションＦ２０）。製品表示入出力装置１２０の入力画面（表示部：ディスプレイ）上で「自動変換」の操作を行うと、製品表示処理手段１６４は変換項目記憶手段１７２から、「蔗糖脂肪酸エステル」の自動変換情報である「乳化剤」、又は、選択指示された登録変換項目情報を取得する（ファンクションＦ２２）。さらに、製品表示処理手段１６４は、「蔗糖脂肪酸エステル」の自動変換情報である「乳化剤」、又は、選択指示された登録変換項目情報を製品表示入出力装置１２０に送信する（ファンクションＦ２３）。
【００３４】
製品表示入出力装置１２０の入力画面（表示部：ディスプレイ）の項目「ａ２」には、「蔗糖脂肪酸エステル」の自動変換情報である「乳化剤」が表示され、或いは、選択指示された登録変換項目情報が表示される（ファンクションＦ２４）。また、製品表示処理手段１６４は「対応表ロ」に示すような登録変換項目情報、即ち、「自動変換」と、当該「表示データ項目」の対応関係を示す情報とを、製品表示入出力装置１２０の入力画面（表示部：ディスプレイ）に表示させることができる。製品表示入出力装置１２０の入力画面（表示部：ディスプレイ）には、自動変換された「乳化剤」が表示され、さらに、「対応表ロ」に示すような登録変換項目情報が、例えば、「ヘルプ画面」等に表示される。したがって、利用者は、当該商品の事案に応じて、自動変換データである「乳化剤」の採否を判定し、「乳化剤」を採用する場合には、その入力を確定し、一方、当該商品に応じた何らかの理由で自動変換データである「乳化剤」を採用しない場合には、登録変換項目情報の中から適当な「表示データ」を選んで、その「表示データ」を「表示データ項目」に入力することができる。他に、食品添加物の種類等に応じて、自動変換情報として、「第１候補」、「第２候補」等の複数の自動変換情報を表示して、選択指示できるようにしてもよい。
【００３５】
再び図７を参照すると、研究所における「固形ルウカレー」の入力画面において、「登録番号」が「００３０」である「製品名」の「カレーＤ」について、「表示データ項目」として、「ａ３」が表示され、「表示データ項目名」として、「原材料」が表示され、「表示データ（要入力）」として、「チーズ」が表示されている。すなわち、「表示データ項目」の「ａ３」には、予め技術情報に基づいて、「原材料」として「チーズ」が、製品情報記憶手段１１６に記憶している配合表のデータベース等から転記され、自動入力されている。上記の「ａ３」および「チーズ」を選択指示入力して、製品表示入出力装置１２０の入力画面（表示部：ディスプレイ）上で「自動変換」の操作を行うと、製品表示処理手段１６４は自動変換判別手段１６８を作動させて、項目「ａ３」および「チーズ」を自動変換することができるかどうかの判定を行う。この場合、データ処理装置１０４の変換項目記憶手段１７２は、項目「ａ３」および「チーズ」を自動変換することができるような変換式を記憶していない。したがって、自動変換判別手段１６８は、項目「ａ３」および「チーズ」を自動変換することができないと判定する。
【００３６】
この場合、製品表示処理手段１６４は変換項目記憶手段１７２から登録変換項目情報を取得する（ファンクションＦ２５）。さらに、製品表示処理手段１６４は、登録変換項目情報を製品表示入出力装置１２０に送信する（ファンクションＦ２６）。製品表示入出力装置１２０は、登録変換項目情報を表示する（ファンクションＦ２７）。製品表示処理手段１６４は変換項目記憶手段１７２から、選択指示された登録変換項目情報である「チェダーチーズ」、「クリームチーズ」、「ゴーダチーズ」を取得する（ファンクションＦ２８）。さらに、製品表示処理手段１６４は、選択指示された登録変換項目情報である「チェダーチーズ」、「クリームチーズ」、「ゴーダチーズ」を製品表示入出力装置１２０に送信する（ファンクションＦ２９）。製品表示入出力装置１２０の入力画面（表示部：ディスプレイ）の項目「ａ３」に入力すべき情報のリストとして、選択指示された登録変換項目情報である「チェダーチーズ」、「クリームチーズ」、「ゴーダチーズ」が表示される（ファンクションＦ３０）。
【００３７】
図１１を参照すると、製品表示入出力装置１２０の入力画面（表示部：ディスプレイ）において、「対応表ハ」は、「固形ルウカレー」について、「配合表データ名」が「チェダーチーズ」、「クリームチーズ」、「ゴーダチーズ」であるとき、「表示データ名」は「チーズ」であることを示している。利用者は、製品表示入出力装置１２０の入力画面（表示部：ディスプレイ）上で登録変換項目情報から選択指示を行うことができる。図１１に示す登録変換項目情報では、「チーズ」を表示する場合の類縁的な表示である「チェダーチーズ」、「クリームチーズ」及び「ゴーダチーズ」が、「チーズ」と共に入力画面（表示部：ディスプレイ）に表示される。したがって、利用者は、前段階で「チーズ」が自動入力された経緯を参照しつつ、当該商品の特性等をさらに考慮した上で、上記の登録変換項目情報の中から、例えば、最終判断として、「チーズ」を選んで、当該「表示データ項目」に入力することができる。
【００３８】
図１２を参照すると、ファンクションＦ２４における自動変換と、ファンクションＦ２８において選択指示された登録変換項目情報の処理結果を示している。「固形ルウカレー」の入力画面において、「登録番号」が「００３０」である「製品名」の「カレーＤ」について、「表示データ項目」として、「ａ２」が表示され、「表示データ項目名」として、「原材料」が表示され、「表示データ（要入力）」として、「乳化剤」が表示されている。また、「表示データ項目」として、「ａ３」が表示され、「表示データ項目名」として、「原材料」が表示され、「表示データ（要入力）」として、「チーズ」が表示されている。
【００３９】
再び図８を参照すると、表示作成部における「固形ルウカレー」の入力画面において、「固形ルウカレー」について、「表示データ項目」として、「ｈ」が表示され、「表示データ項目名」として、「調理例」が表示されている。この場合、「固形ルウカレー」の「調理例の具体的な内容に関する情報」を「表示データ（要入力）」の欄に入力する必要がある。上記の項目「ｈ」および「調理例」を選択指示入力して、製品表示入出力装置１２０の入力画面（表示部：ディスプレイ）上で「自動変換」の操作を行うと、製品表示処理手段１６４は自動変換判別手段１６８を作動させて、項目「ｈ」および「調理例」を自動変換することができるかどうかの判定を行う。この場合、データ処理装置１０４の変換項目記憶手段１７２は、項目「ｈ」および「調理例」を自動変換することができるような変換式を記憶していない。したがって、自動変換判別手段１６８は、項目「ｈ」および「調理例」を自動変換することができないと判定する。
【００４０】
この場合、製品表示処理手段１６４は変換項目記憶手段１７２から登録変換項目情報を取得する。さらに、製品表示処理手段１６４は、登録変換項目情報を製品表示入出力装置１２０に送信する。製品表示入出力装置１２０は、登録変換項目情報を表示する。製品表示処理手段１６４は変換項目記憶手段１７２から、選択指示された登録変換項目情報である「調理例の具体的な内容に関する情報」を取得する。さらに、製品表示処理手段１６４は、選択指示された登録変換項目情報である「調理例の具体的な内容に関する情報」を製品表示入出力装置１２０に送信する。図１３を参照すると、「対応表ニ」として、製品表示入出力装置１２０の入力画面（表示部：ディスプレイ）に、選択指示された登録変換項目情報である「調理例の具体的な内容に関する情報」が表示される。すなわち、入力画面（表示部：ディスプレイ）には、「固形ルウカレー」に応じた複数種類の「調理例の具体的な内容に関する情報」が表示される。したがって、利用者は、当該商品の特性を考慮した上で、上記の登録変換項目情報である複数種類の「調理例の具体的な内容に関する情報」の中から適当な「調理例の具体的な内容に関する情報」を選んで、当該「表示データ項目」に入力することができる。
【００４１】
既に販売されている「固形ルウカレー」である「カレーＡ」、「カレーＢ」、「カレーＣ」の各々に表示されている「調理例の具体的な内容に関する情報」は、製品表示記憶手段１２４に記憶されている。製品表示処理手段１６４は、製品表示記憶手段１２４に記憶されている「調理例の具体的な内容に関する情報」を製品表示入出力装置１２０に送ることができるように構成されている。図１４を参照すると、「対応表ホ」として、既に販売されている「固形ルウカレー」である「カレーＡ」、「カレーＢ」、「カレーＣ」の各々に表示されている「調理例の具体的な内容に関する情報」を、製品表示入出力装置１２０は表示することができる。したがって、利用者は、製品表示入出力装置１２０によって、既に販売されている各種商品の表示内容を参照して、当該商品の表示内容を選択することができる。
【００４２】
以上説明したように、本発明の製品パッケージデータ管理装置では、各表示データ項目に対応する登録変換項目情報として、商品の表示を作成する場合に参照することができる種々の情報を、製品表示入出力装置１２０にヘルプ画面やマルチ画面として、入力画面に添えて表示することができる。
また、「ａ１」、「ａ２」、「ａ３」等の表示データ項目には、ワークフローにおける前工程に当たる研究所において、前記のように入力加工された表示データ（例えば、表示作成部において、確認及び入力加工することが必要なもの）、反対に入力変換不可のものが表示され或いは設定される。したがって、表示作成部の利用者は、前記の作業と共に、表示データ項目における入力加工された表示データの内容を確認及び入力加工することができる。この際、必要に応じて、「ａ１」、「ａ２」、「ａ３」等の表示データ項目について、例えば、表示作成部専用の自動変換・登録変換項目情報を記憶して、表示データ項目における入力加工された表示データを取得して、確認及び入力加工することができる。
【００４３】
本発明の製品パッケージデータ管理装置において、ワークフローの各工程における入力時には、各利用者に対応した入力画面であり、かつ、「製品群」や「製品」に対応した専用の入力画面を製品表示入出力装置１２０は表示することができる。すなわち、当該製品等の表示情報について、当該利用者が入力加工する必要がある表示データ項目だけを表示する入力画面、あるいは、その表示データ項目を指示する入力画面を製品表示入出力装置１２０は表示することができる。したがって、本発明の製品パッケージデータ管理装置においては、利用者は、必要な項目だけを製品表示入出力装置１２０に入力すればよい。
【００４４】
同時に、各利用者の製品表示入出力装置１２０の入力画面（入力環境）には、当該利用者及び当該製品等の表示データ項目に対応した、自動変換及び／又は登録変換項目情報が表示されるので、利用者はこの自動変換及び／又は登録変換項目情報を活用して、かつ、自らの専門領域における判断を加えた上で、最終的な表示内容を入力することが可能になる。
【００４５】
したがって、本発明の製品パッケージデータ管理装置により、ワークフローの各工程において、円滑に正確な「製品表示に関する情報」の内容を入力して、食品等の製品のパッケージ表示を作成することが可能になる。本発明の製品パッケージデータ管理装置を用いると、各フロー及び製品表示入出力装置１２０の入力画面に応じて、当該入力作業を支援するアプリケーションが起動するので、技術情報、法律情報、取扱い方法等について、恣意的な入力が行われることを最大限防止することが可能になる。
【００４６】
（４）製品パッケージの加工
図１５および図１６を参照すると、製品パッケージの表面には、製品名として「ＡＢＣカレー」が表示される。製品パッケージの裏面には、作り方として「調理例の具体的な内容に関する情報」が表示され、原材料名として、自動変換情報である「乳化剤」や、選択指示された登録変換項目情報の処理結果等が表示される。さらに、製品パッケージの表面には、製品のキャッチフレーズ、辛味のレベル、辛味の順位グラフ、調理例の図などが表示される。さらに、製品パッケージの裏面には、製品の特徴、保存方法、各種の注意書き、辛味の順位表、栄養成分、製造者、本社の住所、問合せ先などが表示される。製品のキャッチフレーズ、辛味のレベル、辛味の順位グラフ、調理例の図のデータ、製品の特徴、保存方法、各種の注意書き、辛味の順位表、栄養成分、製造者、本社の住所、問合せ先などの製品パッケージ表示情報は、製品表示記憶手段１２４に記憶されている。
【００４７】
製品パッケージの材質、寸法形状、構造、加工方法、表面及び裏面の図形デザイン及び文字レイアウトなどの製品パッケージを設計するときに利用される製品パッケージ設計情報は、加工処理記憶手段１８０に記憶されている。自動変換情報や、選択指示された登録変換項目情報の処理結果は、製品表示記憶手段１２４に記憶されている。製品表示加工制御手段１３０は、加工処理記憶手段１８０に記憶されている製品パッケージ設計情報と、製品表示記憶手段１２４に記憶されている製品パッケージ表示情報、自動変換情報、選択指示された登録変換項目情報の処理結果を用いて、製品パッケージを加工するための製品パッケージ加工情報を製品表示加工装置１３２に出力する。製品表示加工装置１３２は、製品表示加工制御手段１３０から受け入れた製品パッケージ加工情報に基づいて、製品パッケージの加工を行うことができる。例えば、紙製の製品パッケージの場合、製品表示加工装置１３２は、紙原料に図形および文字を印刷し、紙原料の表面をコーティングし、紙原料を切断し、切断した紙片を折り曲げることができるように構成される。
【産業上の利用可能性】
【００４８】
本発明の製品パッケージデータ管理装置を用いると、「製品に関する情報」、「製品表示に関する情報」などを確実に管理することができる。さらに、本発明の製品パッケージデータ管理装置により、ワークフローの各工程において、円滑に正確な「製品表示に関する情報」の内容を入力して、食品等の製品のパッケージ表示を作成することが可能になる。
【図面の簡単な説明】
【００４９】
【図１】本発明の製品パッケージデータ管理装置の実施形態において、装置の代表的な構成の一例を示すブロック図である。
【図２】本発明の製品パッケージデータ管理装置の実施形態において、製品パッケージデータ管理装置を操作する代表的な段階（ステップ）を示すフローチャートである。
【図３】本発明の製品パッケージデータ管理装置の実施形態において、製品パッケージデータ管理装置の端末側の装置の機能（ファンクション）と、サーバー側の装置の機能（ファンクション）とを示すチャート（その１）である。
【図４】本発明の製品パッケージデータ管理装置の実施形態において、製品パッケージデータ管理装置の端末側の装置の機能（ファンクション）と、サーバー側の装置の機能（ファンクション）とを示すチャート（その２）である。
【図５】本発明の製品パッケージデータ管理装置の実施形態において、メインメニュー画面の概要を示す図である。
【図６】本発明の製品パッケージデータ管理装置の実施形態において、リスト画面の概要を示す図である。
【図７】本発明の製品パッケージデータ管理装置の実施形態において、研究所における入力画面の概要を示す図である。
【図８】本発明の製品パッケージデータ管理装置の実施形態において、表示作成部における入力画面の概要を示す図である。
【図９】本発明の製品パッケージデータ管理装置の実施形態において、対応表イを示す図である。
【図１０】本発明の製品パッケージデータ管理装置の実施形態において、対応表ロを示す図である。
【図１１】本発明の製品パッケージデータ管理装置の実施形態において、対応表ハを示す図である。
【図１２】本発明の製品パッケージデータ管理装置の実施形態において、登録変換項目情報の処理結果表示の概要を示す図である。
【図１３】本発明の製品パッケージデータ管理装置の実施形態において、対応表ニを示す図である。
【図１４】本発明の製品パッケージデータ管理装置の実施形態において、対応表ホを示す図である。
【図１５】本発明の製品パッケージデータ管理装置の実施形態において、製品パッケージの表面を示す概略正面図である。
【図１６】本発明の製品パッケージデータ管理装置の実施形態において、製品パッケージの裏面を示す概略背面図である。
【符号の説明】
【００５０】
１０２  製品パッケージデータ管理装置
１０４  データ処理装置
１１２  製品情報入出力装置
１１４  製品情報処理手段
１１６  製品情報記憶手段
１２０  製品表示入出力装置
１２４  製品表示記憶手段
１３０  製品表示加工制御手段
１３２  製品表示加工装置
１６０  製品表示入力制御手段
１６２  利用者認証手段
１６４  製品表示処理手段
１６６  画面表示記憶手段
１６８  自動変換判別手段
１７０  表示内容処理記憶手段
１７２  変換項目記憶手段
１７６  入力支援記憶手段
１８０  加工処理記憶手段
【図１】
2006018424.tif 000003
【図２】
2006018424.tif 000004
【図３】
2006018424.tif 000005
【図４】
2006018424.tif 000006
【図５】
2006018424.tif 000007
【図６】
2006018424.tif 000008
【図７】
2006018424.tif 000009
【図８】
2006018424.tif 000010
【図９】
2006018424.tif 000011
【図１０】
2006018424.tif 000012
【図１１】
2006018424.tif 000013
【図１２】
2006018424.tif 000014
【図１３】
2006018424.tif 000015
【図１４】
2006018424.tif 000016
【図１５】
2006018424.tif 000017
【図１６】
2006018424.tif 000018